(57)【要約】【課題】現場での各作業者に対してケーブル布設作業の支援、作業終了の確認記録の電子化による作業及び確認作業の省力化・迅速化を図ることができるようにする。【解決手段】各作業者は、自身が携帯するＰＤＡ５０（タブレットＰＣ６０）に、工事ＤＢサーバ２０から提供される作業許可ケーブルに対する作業を支援する作業情報であって、予めケーブルＩＤに関連づけられた作業情報をダウンロードする。そして、ＰＤＡ５０に取り付けられたＲＦＩＤタグリーダを使用してケーブル端部に貼り付けられたＲＦＩＤ付インデックスシールからそのケーブルのケーブルＩＤを読み取り、このケーブルＩＤに基づいて前記ダウンロードした作業情報の中から対応するケーブルに対する作業情報を取得し、ＰＤＡ５０の表示手段に表示する。各作業者は、ＰＤＡ５０の表示手段に表示された作業情報を見ながら必要な作業を行うことができる。【選択図】  図１
2008171186.tif 000002
【特許請求の範囲】
【請求項１】
作業者が携帯する携帯端末と、前記携帯端末との間でネットワークを介して必要な情報の授受を行うサーバとからなり、ケーブル固有のケーブル識別情報が記録されたケーブル布設用カードが端部に取り付けられたケーブルを、予め設計された経路に沿って施設内に布設するとともに、該ケーブルの端部をそのケーブルの接続対象である盤、端子台に接続する作業時に使用されるケーブル施工支援・管理システムであって、
前記携帯端末は、
前記ケーブルの端部に取り付けられたケーブル布設用カードからケーブル識別情報を読み取る読取手段と、
前記サーバから提供される作業許可ケーブルに対する作業を支援する作業情報であって、予めケーブル識別情報に関連づけられた作業情報をダウンロードして記憶する第１の記憶手段と、
前記読取手段によって読み取ったケーブル識別情報に基づいて前記第１の記憶手段から該ケーブル識別情報に対応するケーブルに対する作業情報を取得する作業情報取得手段と、
前記作業情報取得手段によって取得された作業情報を表示する表示手段と、を有し、
前記サーバは、
前記施設内に布設される各ケーブルに対する作業を支援する作業情報を各ケーブルのケーブル識別情報に関連づけて記憶する第２の記憶手段と、
前記携帯端末からのダウンロード要求に応じて前記第２の記憶手段から作業が可能な作業許可ケーブルに対する作業情報を前記第２の記憶手段から抽出する抽出手段と、
前記抽出手段によって抽出された作業情報をケーブル識別情報とともに前記携帯端末に提供する作業情報提供手段と、を有する、
ことを特徴とするケーブル施工支援・管理システム。
【請求項２】
作業者が携帯する携帯端末と、前記携帯端末との間でネットワークを介して必要な情報の授受を行うサーバとからなり、ケーブル固有のケーブル識別情報が記録されたケーブル布設用カードが端部に取り付けられたケーブルを、予め設計された経路に沿って施設内に布設するとともに、該ケーブルの端部をそのケーブルの接続対象である盤、端子台に接続する作業時に使用されるケーブル施工支援・管理システムであって、
前記携帯端末は、
前記ケーブルに取り付けられたケーブル布設用カードからケーブル識別情報を読み取る読取手段と、
前記読取手段によって読み取ったケーブル識別情報に基づいて該ケーブル識別情報に対応するケーブルに対する作業を支援する作業情報を前記サーバから取得する作業情報取得手段と、
前記作業情報取得手段によって取得された作業情報を表示する表示手段と、を有し、
前記サーバは、
前記施設内に布設される各ケーブルに対する作業を支援する作業情報を各ケーブルのケーブル識別情報に関連づけて記憶する第２の記憶手段と、
前記携帯端末から受信するケーブル識別情報に基づいて該ケーブル識別情報に対応する作業情報を前記第２の記憶手段から抽出する抽出手段と、
前記抽出手段によって抽出された作業情報を前記携帯端末に提供する作業情報提供手段と、を有する、
ことを特徴とするケーブル施工支援・管理システム。
【請求項３】
前記ケーブル布設用カードはケーブルの両端部に取り付けられ、前記ケーブルの両端部に取り付けられるケーブル布設用カードもそれぞれ異なるケーブル識別情報が記録されていることを特徴とする請求項１又は２に記載のケーブル施工支援・管理システム。
【請求項４】
前記ケーブル布設用カードは、ＲＦＩＤタグが漉き込まれたカード、又はバーコードが印刷されたカードであり、
前記携帯端末の読取手段は、ＲＦＩＤタグリーダ、又はバーコードリーダであることを特徴とする請求項１から３のいずれかに記載のケーブル施工支援・管理システム。
【請求項５】
前記携帯端末は、少なくとも前記サーバへのアクセス許可を受けるための作業者の認証情報を入力する入力手段を備えたことを特徴とする請求項１から４のいずれかに記載のケーブル施工支援・管理システム。
【請求項６】
前記作業者の認証情報は、作業者毎の認証カードに漉き込まれたＲＦＩＤタグに記録され、前記入力手段は、ＲＦＩＤタグリーダであることを特徴とする請求項５に記載のケーブル施工支援・管理システム。
【請求項７】
前記携帯端末は、前記作業情報に対応する作業の終了を登録する登録手段を備え、前記登録手段による作業の終了時又はアップロードの指示入力時に、前記ケーブル識別情報、登録日時、及び作業者の認証情報を前記サーバにアップロードすることを特徴とする請求項５又は６に記載のケーブル施工支援・管理システム。
【請求項８】
前記作業情報は、ケーブルドラムから設計された長さのケーブルを切り分けるケーブル切分け作業、前記切り分けられたケーブルを設計された経路に沿って布設するケーブル布設作業、前記布設されたケーブルの両端のケーブル端末を接続可能に処理する端末処理作業、端末処理されたケーブル端末を盤、端子台に接続するケーブル接続作業、及び前記接続されたケーブルのチェック作業に関する情報のうちの１以上の作業を含むことを特徴とする請求項１から７のいずれかに記載のケーブル施工支援・管理システム。
【請求項９】
前記ケーブル切分け作業に関する作業情報は、ケーブルを特定するための情報、及びケーブルの設計長を含むことを特徴とする請求項８に記載のケーブル施工支援・管理システム。
【請求項１０】
前記ケーブル布設作業に関する作業情報は、ケーブルを布設する経路情報を含むことを特徴とする請求項８又は９に記載のケーブル施工支援・管理システム。
【請求項１１】
端末処理作業、ケーブル接続作業、及びチェック作業に関する作業情報は、ケーブル接続図を含むことを特徴とする請求項８から１０のいずれかに記載のケーブル施工支援・管理システム。
【請求項１２】
前記チェック作業に関する作業情報は、チェックリストを含むことを特徴とする請求項１１に記載のケーブル施工支援・管理システム。
【発明の詳細な説明】
【技術分野】
【０００１】
本発明はケーブル施工支援・管理システムに係り、特に大型プラント設備などでの電気ケーブルの布設工事を支援・管理する技術に関する。
【背景技術】
【０００２】
図１４は従来のケーブル設計施工・管理の流れを示す図である。同図に示すように電気配線設計の部分では、上流設計情報をもとにケーブルごとに必要な情報の集約を行う（ステップＡ）。布設経路（ケーブルを布設するケーブルトレイ（ケーブルラック）のポイントナンバー）の選定によるケーブル長さを決定するともに（ステップＢ）、ケーブルのサイズ・線種等の選定を行う（ステップＣ）。そして、ケーブルナンバーごとにステップＡ、Ｂ、Ｃの処理を行う（ステップＤ）。
【０００３】
ステップＥにおいては、ケーブルのサイズ・線種・長さ・芯数の他に、発着点名称・布設経路（ケーブルトレイ等のポイントナンバー、通過する電線管のナンバーなど）の情報が揃い、これらの情報を表にしたものを配線表という。また、配線表をもとにケーブルごとに布設作業の指示・情報の授受に用いるカードを印刷する。このカードをケーブル布設用カードという。
【０００４】
ケーブル布設用カードは、図１５に示すように全ての情報が印字されている部分（半券Ｘ）と、ミシン目により切り離され、布設するケーブルの両端に貼り付けられる部分（半券Ｙ）とを有し、半券Ｙは、布設と端末・接続の目印に使用される。
【０００５】
また、配線表をもとにケーブルの手配が行われる（ステップＦ）。
【０００６】
現地での施工・施工管理の部分では、ケーブル布設用カードに記録された情報をもとに所望のケーブルをケーブルドラムから切り分け（ステップＫ）、切り分けたケーブルの両端に半券Ｘから切り離した半券Ｙを貼り付ける（ステップＬ）。
【０００７】
次に、半券Ｘに印刷された布設経路に沿うように半券Ｙが貼付されたケーブルを布設する（ステップＭ）。半券Ｘの裏面には、布設チェック表が印刷されており、布設作業後に確認のチェックが行われる。
【０００８】
続いて、ケーブル端末の処理（皮剥き、端子取付）を行い（ステップＮ）、その後、盤、端子台にケーブルを接続する（ステップＯ）。
【０００９】
上記ステップＮ，Ｏでの作業に必要な機器や電気盤などへのケーブル接続位置情報は、シーケンス図面をもとに作成した接続図面から取得しており、作業者は、接続作業を接続図面を見ながら行う。作業者は、接続後に接続位置が図面通りであることを確認した後、チェックマークを記録用紙に付ける（ステップＰ）。
【００１０】
管理者は、接続図面と接続された配線の照合を行い、正しい作業であることを確認した後、記録用紙に管理者の確認済みであるサインを行う。
【００１１】
また、従来、ケーブル布設作業管理に必要なデータ（例えば、ケーブルの品名、規格、サイズ、全長などのケーブル布設作業に必要なデータ）をケーブルにバーコードにより表示し、このバーコードをバーコードリーダを介して読み取って情報処理装置に入力するケーブル布設管理方式が提案されている（特許文献１）。
【特許文献１】特開平５−１６１２２４号公報
【発明の開示】
【発明が解決しようとする課題】
【００１２】
図１４に示した従来のケーブル設計施工管理方式では、接続図面と記録用紙を使用するため、単独では作業の健全性は確認できず、また、接続図面も記録用紙も紙であり、作業のトレーサビリティシステムを構築する上で、電子化しにくいという欠点がある（紙をスキャンする方式では、記載された情報からの検索ができない）。
【００１３】
また、試験などで配線を取り外したり、復旧したりする作業は、当初の接続を行った作業者の記録用紙とは別の用紙の運用で管理されるため、最新の接続状況を把握するまでの時間遅れが常に発生することの他に、記録用紙が別であることから作業記録としての一貫性の価値は損なわれるなどの欠点がある。
【００１４】
更に、布設・端末・接続の作業仕掛り状況から作業の進捗及び予算管理などを行う場合、切り分けた後のケーブルの残材確認・在庫確認などを行う場合には、情報が工程の各所に散在しているため、常に時間遅れによる誤差がでやすいという欠点がある。
【００１５】
一方、特許文献１には、ケーブルに表示されたバーコード（ケーブル布設作業管理に必要なデータ）を読み取ることにより、人的エラーはなく所要のデータを情報処理装置に入力する記載や、入力されたデータをもとにケーブル布設の作業を検討して管理する記載があるが、現場でのケーブル布設作業を支援したり、最新の接続状況等を管理する記載はない。
【００１６】
本発明はこのような事情に鑑みてなされたもので、設計部門から現場での各作業者に対してケーブル布設作業の支援、作業終了の確認記録の電子化による作業及び確認作業の省力化・迅速化を図ることができるとともに、作業者の認証・作業の許可・作業結果の報告・チェックの報告などの情報授受の信頼性の向上（トレーサビリティ確保）を図ることができるケーブル施工支援・管理システムを提供することを目的とする。
【課題を解決するための手段】
【００１７】
前記目的を達成するために請求項１に係る発明は、作業者が携帯する携帯端末と、前記携帯端末との間でネットワークを介して必要な情報の授受を行うサーバとからなり、ケーブル固有のケーブル識別情報が記録されたケーブル布設用カードが端部に取り付けられたケーブルを、予め設計された経路に沿って施設内に布設するとともに、該ケーブルの端部をそのケーブルの接続対象である盤、端子台に接続する作業時に使用されるケーブル施工支援・管理システムであって、前記携帯端末は、前記ケーブルの端部に取り付けられたケーブル布設用カードからケーブル識別情報を読み取る読取手段と、前記サーバから提供される作業許可ケーブルに対する作業を支援する作業情報であって、予めケーブル識別情報に関連づけられた作業情報をダウンロードして記憶する第１の記憶手段と、前記読取手段によって読み取ったケーブル識別情報に基づいて前記第１の記憶手段から該ケーブル識別情報に対応するケーブルに対する作業情報を取得する作業情報取得手段と、前記作業情報取得手段によって取得された作業情報を表示する表示手段と、を有し、前記サーバは、前記施設内に布設される各ケーブルに対する作業を支援する作業情報を各ケーブルのケーブル識別情報に関連づけて記憶する第２の記憶手段と、前記携帯端末からのダウンロード要求に応じて前記第２の記憶手段から作業が可能な作業許可ケーブルに対する作業情報を前記第２の記憶手段から抽出する抽出手段と、前記抽出手段によって抽出された作業情報をケーブル識別情報とともに前記携帯端末に提供する作業情報提供手段と、を有することを特徴としている。
【００１８】
即ち、各作業者は、自身が携帯する携帯端末に、サーバから提供される作業許可ケーブルに対する作業を支援する作業情報であって、予めケーブル識別情報に関連づけられた作業情報をダウンロードする。そして、携帯端末の読取手段を使用してケーブルの端部に取り付けられたケーブル布設用カードからそのケーブルのケーブル識別情報を読み取り、このケーブル識別情報に基づいて前記ダウンロードした作業情報の中から対応するケーブルに対する作業情報を取得し、携帯端末の表示手段に表示する。これにより、各作業者は、表示手段に表示された作業情報を見ながら必要な作業を行うことができる。
【００１９】
請求項２に係る発明は、作業者が携帯する携帯端末と、前記携帯端末との間でネットワークを介して必要な情報の授受を行うサーバとからなり、ケーブル固有のケーブル識別情報が記録されたケーブル布設用カードが端部に取り付けられたケーブルを、予め設計された経路に沿って施設内に布設するとともに、該ケーブルの端部をそのケーブルの接続対象である盤、端子台に接続する作業時に使用されるケーブル施工支援・管理システムであって、前記携帯端末は、前記ケーブルに取り付けられたケーブル布設用カードからケーブル識別情報を読み取る読取手段と、前記読取手段によって読み取ったケーブル識別情報に基づいて該ケーブル識別情報に対応するケーブルに対する作業を支援する作業情報を前記サーバから取得する作業情報取得手段と、前記作業情報取得手段によって取得された作業情報を表示する表示手段と、を有し、前記サーバは、前記施設内に布設される各ケーブルに対する作業を支援する作業情報を各ケーブルのケーブル識別情報に関連づけて記憶する第２の記憶手段と、前記携帯端末から受信するケーブル識別情報に基づいて該ケーブル識別情報に対応する作業情報を前記第２の記憶手段から抽出する抽出手段と、前記抽出手段によって抽出された作業情報を前記携帯端末に提供する作業情報提供手段と、を有することを特徴としている。
【００２０】
請求項１に係る発明では、最初にサーバから作業許可ケーブルに対する作業を支援する作業情報をダウンロードするようにしたが、請求項２に係る発明は、携帯端末の読取手段を使用してケーブルに取り付けられたケーブル布設用カードからケーブル識別情報を読み取ると、サーバから前記読み取ったケーブル識別情報に基づいて対応するケーブルの作業情報を取得する点で、請求項１に係る発明と相違している。
【００２１】
請求項３に示すように請求項１又は２に記載のケーブル施工支援・管理システムにおいて、前記ケーブル布設用カードはケーブルの両端部に取り付けられ、前記ケーブルの両端部に取り付けられるケーブル布設用カードもそれぞれ異なるケーブル識別情報が記録されていることを特徴としている。ケーブルの両端は、それぞれ異なる種類の盤、端子台に接続される場合が多く、ケーブルの端部ごとの接続に関する作業情報を取得することができる。
【００２２】
請求項４に示すように請求項１から３のいずれかに記載のケーブル施工支援・管理システムにおいて、前記ケーブル布設用カードは、ＲＦＩＤタグが漉き込まれたカード、又はバーコードが印刷されたカードであり、前記携帯端末の読取手段は、ＲＦＩＤタグリーダ、又はバーコードリーダであることを特徴としている。
【００２３】
請求項５に示すように請求項１から４のいずれかに記載のケーブル施工支援・管理システムにおいて、前記携帯端末は、少なくとも前記サーバへのアクセス許可を受けるための作業者の認証情報を入力する入力手段を備えたことを特徴としている。これにより、不正なアクセスを防止することができるとともに、アクセスした作業者のアクセス権に応じて該作業者が必要とする作業情報のみを送ることも可能である。
【００２４】
請求項６に示すように請求項５に記載のケーブル施工支援・管理システムにおいて、前記作業者の認証情報は、作業者毎の認証カードに漉き込まれたＲＦＩＤタグに記録され、前記入力手段はＲＦＩＤタグリーダであることを特徴としている。
【００２５】
請求項７に示すように請求項５又は６に記載のケーブル施工支援・管理システムにおいて、前記携帯端末は、前記作業情報に対応する作業の終了を登録する登録手段を備え、前記登録手段による作業の終了時又はアップロードの指示入力時に、前記ケーブル識別情報、登録日時、及び作業者の認証情報を前記サーバにアップロードすることを特徴としている。これにより、どの作業者によって、どのような作業がいつ終了したか等の作業履歴を容易に管理することができる。
【００２６】
請求項８に示すように請求項１から７のいずれかに記載のケーブル施工支援・管理システムにおいて、前記作業情報は、ケーブルドラムから設計された長さのケーブルを切り分けるケーブル切分け作業、前記切り分けられたケーブルを設計された経路に沿って布設するケーブル布設作業、前記布設されたケーブルの両端のケーブル端末を接続可能に処理する端末処理作業、端末処理されたケーブル端末を盤、端子台に接続するケーブル接続作業、及び前記接続されたケーブルのチェック作業に関する情報のうちの１以上の作業を含むことを特徴としている。
【００２７】
請求項９に示すように請求項８に記載のケーブル施工支援・管理システムにおいて、前記ケーブル切分け作業に関する作業情報は、ケーブルを特定するための情報、及びケーブルの設計長を含むことを特徴としている。
【００２８】
請求項１０に示すように請求項８又は９に記載のケーブル施工支援・管理システムにおいて、前記ケーブル布設作業に関する作業情報は、ケーブルを布設する経路情報を含むことを特徴としている。ケーブルを布設する経路情報は、例えば、ケーブルトレイ（ケーブルラック）のポイントナンバーで示される。
【００２９】
請求項１１に示すように請求項８から１０のいずれかに記載のケーブル施工支援・管理システムにおいて、端末処理作業、ケーブル接続作業、及びチェック作業に関する作業情報は、ケーブル接続図を含むことを特徴としている。
【００３０】
請求項１２に示すように請求項１１に記載のケーブル施工支援・管理システムにおいて、前記チェック作業に関する作業情報は、チェックリストを含むことを特徴としている。
【発明の効果】
【００３１】
本発明によれば、各作業者の携帯端末でケーブルに取り付けられたケーブル布設用カードからケーブル識別情報を読み取らせることで、そのケーブルに対する作業情報を取得して携帯端末に表示させることができ、各作業者は、この表示された作業情報を見ながら必要な作業を行うことができる。
【００３２】
また、携帯端末に作業者の認証情報を入力するとともに、作業の終了を登録することにより、サーバ側では、作業履歴を容易に管理することができる。
【発明を実施するための最良の形態】
【００３３】
以下、添付図面に従って本発明に係るケーブル施工支援・管理システムの好ましい実施の形態について説明する。
【００３４】
＜システムの概略構成＞
図１は本発明に係るケーブル施工支援・管理システムの全体構成図である。
【００３５】
このケーブル施工支援・管理システムは、主としてケーブル施工を行う事業者の社内などに設置される設計データベース・サーバ（ＤＢサーバ）１０と、工事ＤＢサーバ２０と、施工管理ＤＢサーバ３０と、原子力発電所などの大型プラント設備の現地事務所に設置されるパソコン４０、プリンタ４２と、各現場の作業者が携帯する携帯端末（ＰＤＡ（携帯情報端末）５０、タブレットＰＣ６０）と、これらを接続するネットワークとによって構成されている。
【００３６】
社内の設計ＤＢサーバ１０、工事ＤＢサーバ２０、施工管理ＤＢサーバ３０と、現地事務所のパソコン４０とはそれぞれ専用回線によって接続されている。また、ＰＤＡ５０、タブレットＰＣ６０は、無線ＬＡＮによる通信機能を内蔵しており、建屋のフロアーごと、あるいは所定のエリアごとに設置されている無線アクセスポイント７０を通じて専用回線に接続されている各ＤＢサーバ等と通信することができるようになっている。
【００３７】
設計ＤＢサーバ５０には、ケーブルに関する情報（ケーブル情報、機器情報、仕様、ケーブルルート）や、ケーブル接続図に関する情報（端子台情報、ケーブル情報、機器情報、パターン図）等が管理されており、設計部門で許可した工事用の情報が工事ＤＢサーバ２０に渡される。
【００３８】
また、設計部門に設置されたパソコン（図示せず）には、ケーブル接続図自動生成プログラムが格納されており、このパソコンは、図２に示すようにローカル機器ごとのパターン図とケーブル情報とに基づいてＥＣＷＤ方式(Elementary control wiring diagrams)などのケーブル接続図を自動生成する。
【００３９】
また、図３に示すようにパソコンは、上記のようにして自動生成されたケーブル接続図を編集する機能を有している。設計ＤＢサーバ１０では、このケーブル接続図の情報も管理している。
【００４０】
施工管理ＤＢサーバ３０では、従業者（作業者）の認証情報（以下、「ユーザＩＤ」という）に基づいて従業者の個人情報等を管理するとともに、ケーブル施工の実績データを管理する。
【００４１】
現地事務所のパソコン４０は、プリンタ４２にケーブルナンバーの印刷情報を出力し、ケーブル布設用カード上にケーブルナンバーを印刷させる。尚、ケーブル布設用カードには、予めＲＦＩＤタグ（ＲＦＩＤ：Radio Frequency Identification）が漉き込まれており、このケーブル布設用カードに漉き込まれているＲＦＩＤタグには、ケーブルナンバーと一対一に対応するユニークなケーブル識別情報（ケーブルＩＤ）が記録されている。
【００４２】
パソコン４０は、プリンタ４２が読み取ったケーブルＩＤをプリンタ４２から受け取ることにより、又はプリンタ４２から出力されたケーブル布設用カードからケーブルＩＤを読み取ることにより、ケーブルナンバーとケーブルＩＤとの関連づけを行い、その関連づけた情報を工事ＤＢサーバ２０に送信する。工事ＤＢサーバ２０では、パソコン４０から送られたケーブルナンバーとケーブルＩＤとを関連づけた情報と、ケーブルナンバーごとに管理している各現場での作業情報とをリンクさせる。
【００４３】
ＰＤＡ５０、タブレットＰＣ６０は、端末として動作するためのオペレーティングシステム（ＯＳ）、周辺機器のデバイスドライバ、及び本発明に係るケーブル施工支援・管理システムに適用するためのソフトウエアが記憶される記憶手段と、液晶表示器等の表示手段と、タッチパネル等の入力手段とを有している。また、ＰＤＡ５０、タブレットＰＣ６０のコネクタ又はスロットには、ＲＦＩＤタグからケーブルＩＤを読み取るためのＲＦＩＤリーダが取り付けられている。
【００４４】
＜本発明によるケーブル設計施工・管理の流れ＞
図４は本発明によるケーブル設計施工・管理の流れを示す図である。尚、図２において、図１４の従来のケーブル設計施工・管理の流れに示したステップに対応するステップには同一のステップ番号が付されている。
【００４５】
まず、図１５に示した従来の紙ベースのケーブル布設用カード（半券Ｘ，半券Ｙ）の代わりに、ＲＦＩＤタグが漉き込まれたケーブル布設用カード（半券Ｙ）を発行する。
【００４６】
各現場で作業者が携帯するＰＤＡ５０、タブレットＰＣ６０は、工事ＤＢサーバ２０から前記作業情報をネットワークを通じてダウンロードできるようになっている。
【００４７】
ステップＫでは、ＲＦＩＤタグを読み取ることにより、ケーブルナンバーに対応するケーブルをケーブルドラムから切り分けるための作業情報を取得する。ステップＬでは、切り分けたケーブルの両端に、ＲＦＩＤタグが漉き込まれた半券Ｙを貼り付ける。
【００４８】
ケーブルを布設する現場では、ＰＤＡ５０により半券ＹからケーブルＩＤを読み取ることにより、布設経路情報を取得する（ステップＭ）。作業者は、この布設経路情報に基づいて布設経路に沿うようにケーブルの布設作業を行う。
【００４９】
ステップＮでは、ケーブル端末の処理（皮剥き、端子取付）を行うが、このケーブル端末の処理に必要なケーブル接続図は、ＰＤＡ５０により半券ＹからケーブルＩＤを読み取ることにより、ケーブル接続図を取得する。
【００５０】
同様に、ステップＯでの盤、端子台にケーブルを接続するケーブル接続作業、ステップＰでのケーブル接続チェック時には、タブレットＰＣ６０により半券ＹからケーブルＩＤを読み取ることにより、ケーブル接続図やチェックリストを取得する。
【００５１】
即ち、本発明に係るシステムでは、従来の全ての情報が印字されて部分（半券Ｘ）が不要となり、また、紙ベースでのケーブル接続図が不要となる。
【００５２】
また、各作業での実績データの入力等も携帯端末等で行うことができ、実績を記入するための書類等が不要となる。
【００５３】
＜ＲＦＩＤ製造番号とケーブル情報の突き合わせ＞
図５（Ａ）に示すように、現地事務所に設置されたパソコン４０から１本分のケーブルナンバーをプリンタ４２に入力すると、プリンタ４２は、ユニークなケーブルＩＤ（ＲＦＩＤ固有のＩＤ）が記録されたＲＦＩＤタグが漉き込まれたケーブル布設用カード（以下、「ＲＦＩＤ付インデックスシール」という）を２枚プリント出力する。
【００５４】
図５（Ｂ）に示すように２枚のＲＦＩＤ付インデックスシール４４は、ケーブルの両端（図５（Ｂ）では一端のみを示している）にそれぞれ貼り付けられる。
【００５５】
尚、ＲＦＩＤ付インデックスシールに漉き込まれているＲＦＩＤ固有のＩＤは、例えば、製造時に付けられたＲＦＩＤ製造番号であり、ケーブルごとに発行される２枚のＲＦＩＤ付インデックスシールにそれぞれ漉き込まれているＲＦＩＤタグは、それぞれ異なるＩＤが記録されている。
【００５６】
プリンタ４２は、ＲＦＩＤ付インデックスシールにケーブルナンバーをプリントし、また、ケーブルナンバーに対応してプリントした２枚のＲＦＩＤ付インデックスシールに漉き込まれているＲＦＩＤ固有のＩＤ（以下、「ケーブルＩＤ」という）をパソコン４０に通知する。尚、パソコン４０にＲＦＩＤリーダを設け、プリント出力されたＲＦＩＤ付インデックスシールからその都度、ケーブルＩＤを読み取らせるようにしてもよい。
【００５７】
パソコン４０は、ケーブル情報（ケーブルナンバー）と、そのケーブルナンバーに対応してプリント出力された２枚のＲＦＩＤ付インデックスシールのＲＦＩＤタグに記録されたケーブルＩＤとの関連づけを行い、この関連づけした情報を工事ＤＢサーバ２０に送る。
【００５８】
このようにケーブルナンバーとケーブルＩＤとの関連づけを行うことにより、後述するようにＲＦＩＤタグからケーブルＩＤを読み取ることによりケーブルナンバー等に関連づけられているケーブルに関連する各種の情報を、工事ＤＢサーバ２０から取得することができるようにしている。
【００５９】
＜ケーブル施工支援・管理システムでの作業内容＞
図６は本発明に係るケーブル施工支援・管理システムでの各作業の流れを示すフローチャートであり、各作業内容等を図７から図１３を参照しながら説明する。
【００６０】
［ＤＢサーバとＰＤＡとのリンケージ（ステップＳ１０）］
工事ＤＢサーバ２０と各作業者のＰＤＡ５０、タブレットＰＣ６０とは、無線ＬＡＮ及び専用回線を介して接続され、ＰＤＡ５０、タブレットＰＣ６０は、工事ＤＢサーバ２０から作業許可ケーブルに対する作業を支援する作業情報であって、予めケーブルＩＤに関連づけられた作業情報をダウンロードする。
【００６１】
図７はＰＤＡ５０に表示されるダウンロード画面を示す。同図に示すように、ＰＤＡ５０において、ケーブル施工支援・管理システム用にインストールされたソフトウエアを起動させ、ダウンロードのメニューを選択することによりＰＤＡ５０の表示手段にダウンロード画面を表示させる。
【００６２】
作業者は、ダウンロード時にＰＤＡ５０上でプラントの設定、日付の入力、及びユーザＩＤをＰＤＡ５０に入力する。尚、ユーザＩＤの入力は、ＰＤＡ５０に接続されたＲＦＩＤリーダによって作業者毎の認証カード（名札等）に漉き込まれているＲＦＩＤタグを読み取ることにより行われる。
【００６３】
そして、ダウンロードのソフトボタンを押すと、プラント名、日付、及びユーザＩＤとともにダウンロード要求が無線ＬＡＮ、専用回線を経由して工事ＤＢサーバ２０に通知される。工事ＤＢサーバ２０では、施工管理ＤＢサーバ３０で管理されている情報に基づいてユーザＩＤから作業者の認証処理を行い、アクセス権を有すると判断すると、入力された日付において、設計から作業許可が与えられている作業許可ケーブルを検索し、検索した作業許可ケーブルに対する作業情報をＰＤＡ５０に送信する。ＰＤＡ５０は、このようにしてダウンロードした作業情報をＰＤＡ内の記憶手段に記憶させる。
【００６４】
尚、ダウンロード画面には、アップロードのソフトボタンも表示されており、このボタンが押されると、ＰＤＡ５０に記憶されている作業実績データが工事ＤＢサーバ２０、施工管理ＤＢサーバ３０にアップロードされる。
【００６５】
［作業情報入手（ステップＳ２０）］
図８は作業情報を入手するときのＰＤＡ５０の画面を示す。作業者は、ＰＤＡ５０上でケーブル切分け作業、ケーブル切分け作業、ケーブル布設作業、ケーブル端末作業、又はケーブル接続作業のいずれかの作業設定を行い、ＰＤＡ５０に所望の作業設定の画面を表示させる。尚、図８では、ケーブル切分け作業設定を行う場合の画面が示されている。
【００６６】
続いて、ＰＤＡ５０にユーザＩＤとケーブルＩＤとを入力し、ＯＫボタンを押すことにより、前記ダウンロードして記憶した業許可ケーブルの一覧から実際に作業を行うケーブルに対するケーブル切分け作業の作業情報を入手する（読み出す）。この読み出された作業情報は、ＰＤＡ５０の表示手段に表示される。これにより、作業者に対して作業指示、作業の支援が可能になる。
【００６７】
ここで、ユーザＩＤの入力は、上記と同様にＲＦＩＤリーダによってユーザの認証カードに漉き込まれているＲＦＩＤタグを読み込むことによって行い、ケーブルＩＤの入力は、ＲＦＩＤリーダによってＲＦＩＤ付インデックスシール４４（図５（Ｂ）参照）に漉き込まれているＲＦＩＤタグを読み込むことによって行う。
【００６８】
尚、この作業情報入手時の端末操作は、ケーブル切分け作業、ケーブル布設作業、ケーブル端末作業、ケーブル接続作業の各作業前に行われ、各作業に共通している操作である。
【００６９】
［ケーブル切分け作業（ステップＳ３０）］
図９はＰＤＡ５０に表示されるケーブル切分け作業画面を示す。作業者は、上述したようにケーブル切分け作業の作業情報を入手し、ＰＤＡ５０にケーブル切分け作業画面を表示させる。
【００７０】
図９（Ａ）に示すケーブル切分け作業画面には、入手した作業情報に基づいて切分け作業に利用されるケーブル情報（ケーブルナンバー、設計長、線種、芯数、スペックコード）が表示される。作業者は、このケーブル情報を参照しながら切り分けるケーブルが巻回されているケーブルドラムを選択し、このケーブルドラムから設計長分のケーブルを切り分ける。
【００７１】
この切分け作業が終了すると、図９（Ｂ）に示すようにＰＤＡ５０にソフトキーボードを表示させ、切分け作業での作業結果を示す入力項目（ケーブルドラムのドラムナンバー、長さ、レングス（スタートとエンドのレングスマーク）、切分け日）の入力を行う。尚、未使用のケーブルドラムには、例えば２０００ｍのケーブルが巻回されており、このケーブルには、１ｍごとにレングスマークが付されている。この実施の形態では、スタートのレングスマークとして２１５が入力され、エンドのレングスマークとして７０が入力されている。これにより、ケーブルドラムから１４５ｍ（＝２１５−７０）のケーブルが切り分けられ、また、ケーブルドラムの残りのケーブル長が７０ｍであることが分かる。
【００７２】
上記入力項目を入力した後、登録ボタンを押すと、切分け作業の入力項目とともに、ユーザＩＤ、ケーブルＩＤ、及び登録日時がＰＤＡ内の記憶手段に記憶される。
【００７３】
また、上記のようにして切り分けられたケーブルの両端には、それぞれＲＦＩＤ付インデックスシール４４が貼り付けられる。
【００７４】
［ケーブル布設作業（ステップＳ４０）］
図１０はＰＤＡ５０に表示されるケーブル布設作業画面を示す。作業者は、ケーブル布設作業の処理選択を行い、ＰＤＡ５０のＲＦＩＤリーダによってケーブルに貼り付けられたＲＦＩＤ付インデックスシール４４からケーブルＩＤを読み取るとともに、認証カードからユーザＩＤを読み取ることによりケーブル布設作業の作業情報を入手し、ＰＤＡ５０にケーブル布設作業画面を表示させる。
【００７５】
図１０（Ａ）に示すケーブル布設作業画面には、入手した作業情報に基づいて布設作業に使用されるケーブル情報（ケーブルナンバー、設計長、線種、芯数、スペックコード）が表示され、図１０（Ｂ）に示すケーブル布設作業画面（次頁の画面）には、ケーブルを布設する経路情報（例えば、ケーブルトレイ（ケーブルラック）のポイントナンバーの一覧）が表示される。
【００７６】
作業者は、この経路情報を参照しながらケーブルを建屋内のケーブルトレイ、ケーブルラックに沿って布設する。
【００７７】
この布設作業が終了すると、作業者は、図１０（Ａ）のケーブル布設作業画面上の登録ボタンを押し、布設作業の情報とともに、ユーザＩＤ、ケーブルＩＤ、及び登録日時をＰＤＡ内の記憶手段に記憶させる。
【００７８】
［ケーブル端末作業（ステップＳ５０）］
図１１はケーブル端末作業の作業情報を入手するときのＰＤＡ５０の画面を示す。作業者は、ＰＤＡ５０に端末作業設定の画面を表示させ、ユーザＩＤとケーブルＩＤとを入力するとともに、処理しようとするケーブル端末が発点側、着点側のいずれであるかを指示する。尚、図１１（Ａ）では、ケーブル端末が発点側であることが指示されている。
【００７９】
続いて、ＯＫボタンを押すことにより、前記ダウンロードして記憶した業許可ケーブルの一覧から実際に作業を行うケーブルの発点側におけるケーブル端末作業の作業情報を入手する。
【００８０】
また、ケーブルの両端には、それぞれ異なるケーブルＩＤを有するＲＦＩＤ付インデックスシールが貼り付けられているが、上記発点側又は着点側の指示を行うことにより、ＰＤＡ５０によって読み取ったＲＦＩＤ付インデックスシールのケーブルＩＤが、ケーブルの発点側のものか、着点側のものかを特定すること（即ち、各ケーブルＩＤと、発点側のデータ、着点側のデータとの関連づけを行うこと）ができる。
【００８１】
ＰＤＡ５０には、前記入手したケーブル端末作業の作業情報に基づいてケーブル接続図（図１２参照）等が表示される。作業者は、ＰＤＡ５０に表示されたケーブル接続図等を参照しながらケーブル端末作業を行う。
【００８２】
ケーブル端末作業としては、図５（Ｂ）に示すようにケーブル端部でのケーブル皮剥き、端子取付けが行われるが、ケーブル接続図等を参照することにより、皮剥の長さ、各芯線の長さなどを適宜調節することができる。
【００８３】
この端末処理が終了すると、作業者は、図１１（Ｂ）の端末作業画面上の登録ボタンを押し、端末作業の情報とともに、ユーザＩＤ、ケーブルＩＤ、及び登録日時をＰＤＡ内の記憶手段に記憶させる。
【００８４】
［ケーブル接続作業（ステップＳ６０）］
図１２はタブレットＰＣ６０に表示されるケーブル接続作業画面を示す。作業者は、ケーブル接続作業の処理選択を行い、タブレットＰＣ６０のＲＦＩＤリーダによってケーブルに貼り付けられたＲＦＩＤ付インデックスシール４４からケーブルＩＤを読み取らせるとともに、認証カードからユーザＩＤを読み取らせることにより、ケーブル接続作業の作業情報を入手させ、この作業情報に基づいてタブレットＰＣ６０にケーブル接続図を表示させる。
【００８５】
図１２に示すケーブル接続図において、ケーブルの芯線に対応して表示されている「ク」「シ」「ア」「ミ」は、芯線の色（黒、白、赤、緑）を示し、数字は、芯線に記入されている番号を示す。作業者は、タブレットＰＣ６０に表示されたケーブル接続図からケーブルのどの芯線を盤、端子台のどの位置に接続すべきかを確認することができ、これによりケーブル接続作業を正しく行うことができる。
【００８６】
尚、ケーブル接続作業を行う作業者が、ＰＤＡ５０を使用せずにタブレットＰＣ６０を使用する理由は、タブレットＰＣ６０の方が画面が大きく、ケーブル接続図が見やすいからである。従って、ケーブル接続図の画面が小さくてもよい場合には、タブレットＰＣ６０の代わりにＰＤＡ５０を使用してもよい。
【００８７】
［ＱＣチェック（ステップＳ７０）］
ケーブル接続作業が終了すると、引き続き同一の作業者によってＱＣチェック（ＱＣ：Quality Control（品質管理））が行われる。
【００８８】
即ち、図１２に示すケーブル接続作業画面の上部に表示されているメニューバー上で、
「ＱＣチェック」のボタンをクリックすると、図１３に示すようにＱＣチェック画面がポップアップ画面として現れる。
【００８９】
ケーブル接続の作業者（チェック者）は、ＱＣチェック画面に表示されているチェック項目のチェックボックスにチェックを入れながらＱＣチェックを行う。ＱＣチェックが終了すると、チェック者は、ＱＣチェック画面上の登録ボタンを押し、ケーブル接続作業の情報、ＱＣチェックの結果とともに、ユーザＩＤ、ケーブルＩＤ、及び登録日時をＰＤＡ内の記憶手段に登録させる。
【００９０】
図７で説明したようにダウンロード画面において、アップロードのソフトボタンが押されると、ＰＤＡ５０、タブレットＰＣ６０の記憶手段に登録された作業実績データ（各作業の情報、ユーザＩＤ、ケーブルＩＤ、及び登録日時、チェック結果等）が工事ＤＢサーバ２０、施工管理ＤＢサーバ３０にアップロードされ、それぞれのＤＢサーバで活用される。
【００９１】
各部門や現場では、作業実績データに基づいてリアルタイムにケーブルの布設・端末・接続の作業仕掛り状況から作業の進捗状況、切り分けた後のケーブルの残材確認・在庫確認することができ、また、従業者の個人別の作業実績なども容易に集計・把握することができる。
【００９２】
＜他の実施の形態＞
上記の実施の形態では、ＰＤＡ等の携帯端末は、無線ＬＡＮによる通信機能を内蔵しているものが使用されているが、これに限らず、ネットワークに接続されている機器とケーブル、又はクレードルを介して接続することで、必要な情報のダウンロードやアップロードをするようにしてもよい。
【００９３】
また、この実施の形態では、作業許可ケーブルに対する作業情報を一括してダウンロードし、携帯端末内の記憶手段に記憶させ、作業の処理選択及びケーブルＩＤの入力により必要な作業情報を記憶手段から読み出すようにしたが、これに限らず、ユーザＩＤ、ケーブルＩＤ及び作業の処理選択を作業ごとにＤＢサーバに通知し、その作業に必要な作業情報をＤＢサーバから作業ごとにダウンロードするようにしてもよい。尚、工事ＤＢサーバ、施工管理ＤＢサーバ等のサーバは、統合されていてもよい。
【００９４】
更に、この実施の形態では、ＲＦＩＤ付インデックスシールをケーブル端部に貼り付けるようにしたが、ユニークなケーブルＩＤを示すバーコードが印刷されたケーブル布設用カードをケーブル端部に貼り付けるようにしてもよい。この場合、ＰＤＡ等の携帯端末は、バーコードリーダを備える必要がある。
【図面の簡単な説明】
【００９５】
【図１】図１は本発明に係るケーブル施工支援・管理システムの全体構成図である。
【図２】図２はケーブル接続図の自動生成を説明するために用いた図である。
【図３】図３は自動生成されたケーブル接続図の編集を説明するために用いた図である。
【図４】図４は本発明によるケーブル設計施工・管理の流れを示す図である。
【図５】図５はＲＦＩＤ付インデックスシールに漉き込まれたＲＦＩＤタグの製造番号とケーブル情報との関連づけを説明するために用いた図である。
【図６】図６は本発明に係るケーブル施工支援・管理システムでの各作業の流れを示すフローチャートである。
【図７】図７はＰＤＡに表示されるダウンロード画面を示す図である。
【図８】図８は作業情報を入手するときのＰＤＡの画面を示す図である。
【図９】図９はＰＤＡに表示されるケーブル切分け作業画面を示す図である。
【図１０】図１０はＰＤＡに表示されるケーブル布設作業画面を示す図である。
【図１１】図１１はケーブル端末作業の作業情報を入手するときのＰＤＡの画面を示す図である。
【図１２】図１２はタブレットＰＣに表示されるケーブル接続作業画面を示す図である。
【図１３】図１３はＱＣチェック時にタブレットＰＣに表示されるケーブル接続作業画面及びＱＣチェック画面を示す図である。
【図１４】図１４は従来のケーブル設計施工・管理の流れを示す図である。
【図１５】図１５は従来のケーブル布設用カードを示す図である。
【符号の説明】
【００９６】
１０…設計ＤＢサーバ、２０…工事ＤＢサーバ、３０…施工管理ＤＢサーバ、４０…パソコン、４２…プリンタ、４４…ＲＦＩＤ付インデックスシール、５０…ＰＤＡ、６０…タブレットＰＣ、７０…無線アクセスポイント
【図１】
2008171186.tif 000003
【図２】
2008171186.tif 000004
【図３】
2008171186.tif 000005
【図４】
2008171186.tif 000006
【図５】
2008171186.tif 000007
【図６】
2008171186.tif 000008
【図７】
2008171186.tif 000009
【図８】
2008171186.tif 000010
【図９】
2008171186.tif 000011
【図１０】
2008171186.tif 000012
【図１１】
2008171186.tif 000013
【図１２】
2008171186.tif 000014
【図１３】
2008171186.tif 000015
【図１４】
2008171186.tif 000016
【図１５】
2008171186.tif 000017